(57)【要約】 【課題】側面ヒータ角部の隙間調整を不要とする掘ごたつ用側面ヒータの角部処理構造を提供することを目的とする。【解決手段】側面ヒータ５の角部５ｂには前記角部目隠帯５０が取付けられており、角部目隠帯５０は隣接するそれぞれの前記化粧板２２の端部２２ａに対して化粧板２２の表面側２２ｂから同時に覆う表面カバー部５１と化粧板の裏面側２２ｃから同時に覆う裏面カバー部５２とからなり前記表面カバー部５１と前記裏面カバー部５２が連結部５３で連結されている。【選択図】図３
2005207630.tif 000002
【特許請求の範囲】
【請求項１】
上方が開口し底面とこの底面の外周端から立ち上がる内側面とからなる掘ごたつ本体に前記内側面に沿って側面ヒータを収容する掘ごたつ用側面ヒータの角部処理構造であって、
前記内側面に沿って配設される可撓性の面状ヒータと、この面状ヒータの表面側を覆う化粧板と、前記面状ヒータと前記内側面との間に配設されて面状ヒータと内側面との間を断熱する断熱材とで前記側面ヒータが形成され、
前記側面ヒータの端部とその端部が隣接する他の側面ヒータの端部とからなる側面ヒータの角部に、隣接するそれぞれの前記側面ヒータの端部に対して側面ヒータの表面側から覆う表面カバー部と側面ヒータの裏面側から覆う裏面カバー部とからなり前記表面カバー部と前記裏面カバー部が連結部で連結された角部目隠帯が設置されることを特徴とする掘ごたつ用側面ヒータの角部処理構造。
【請求項２】
請求項１記載の掘ごたつ用側面ヒータの角部処理構造であって、前記角部目隠帯を、隣接する前記側面ヒータのそれぞれの端部を覆いながら上方から差し込むことを特徴とする掘ごたつ用側面ヒータの角部処理構造。
【発明の詳細な説明】
【技術分野】
【０００１】
本発明は、掘ごたつの掘ごたつ本体内に収容される掘ごたつ用側面ヒータの角部処理構造に関する。
【背景技術】
【０００２】
従来、上方に開口した箱型の掘ごたつ本体の底面及びこの底面の外周端から立ち上がる内側面に面状ヒータを沿設した掘ごたつが「特許文献１」に開示されている。この掘ごたつでは、カーペット状の面状ヒータを、底面、内側面に設けることにより、掘ごたつ本体の内部スペースが内側面全面から均等に効果的に暖められるようになっている。
【０００３】
ところが、市場における付加価値を高めるために、カーペット状の面状ヒータの替わりに面状ヒータを底面、内側面に配置し、その表面を化粧板で覆う（外観の見栄えがよい）インテリア風の掘ごたつが求められている。
【０００４】
「特許文献２」では、掘り込みとやぐらからなる座卓装置の隣接する框同士を連結具を用いて連結できる構成が開示されている。
【特許文献１】特開平８−４２８５２号公報
【特許文献２】特開平９−７９５８１号公報
【発明の開示】
【発明が解決しようとする課題】
【０００５】
上記のカーペット状の面状ヒータの替わりに面状ヒータを底面、内側面に配置し、その表面を化粧板で覆う掘ごたつにおいては、組立時に隣接する化粧板と化粧板の間に隙間が生じる。このため、商品価値が損なわれるという問題があった。また、掘ごたつ内部の熱量がにげるという問題があった。
【０００６】
隙間をなくすために化粧板と化粧板を接着すると、化粧板の交換の際に化粧板と化粧板が容易に分離できずに化粧板を損傷してしまうので、メンテナンス性が悪くなると共にメンテナンスコストが高くなるという問題があった。
【０００７】
さらに、化粧板と化粧板を接着しないで、化粧板同士を連結具で嵌合することで結合及び分解する構成では、組立時の製作許容誤差が厳しすぎるので組立性が悪くなり歩留まりが悪くなるという問題があった。
【０００８】
さらに、化粧板と化粧板を接着する方法或いは化粧板同士を連結具で嵌合する方法では、接着化粧板の乾燥収縮或いはヒータ熱によって化粧板が伸長することによりによる寸法変化の吸収が困難となり化粧板が破損するおそれがあった。
【０００９】
そこで、本発明は、組立時の隙間の調整が不要で（組立性の向上）、化粧板と化粧板との間の隙間を覆うことにより外観の見栄えが良く（インテリア性に優れて商品価値を高め）内部熱量を逃がさず、メンテナンス性が良好で破損するおそれがなく（メンテナンス性の向上）、化粧板の収縮や伸長による隙間の調整ができて（寸法変化の吸収）、化粧板の隙間に挟まれたりする事故の防止（安全性）ができる掘ごたつ用側面ヒータの角部処理構造の提供を目的とする。
【課題を解決するための手段】
【００１０】
請求項１の発明は、上方が開口し底面とこの底面の外周端から立ち上がる内側面とからなる掘ごたつ本体に前記内側面に沿って側面ヒータを収容する掘ごたつ用側面ヒータの角部処理構造であって、前記内側面に沿って配設される可撓性の面状ヒータと、この面状ヒータの表面側を覆う化粧板と、前記面状ヒータと前記内側面との間に配設されて面状ヒータと内側面との間を断熱する断熱材とで前記側面ヒータが形成され、前記側面ヒータの端部とその端部が隣接する他の側面ヒータの端部とからなる側面ヒータの角部に、隣接するそれぞれの前記側面ヒータの端部に対して側面ヒータの表面側から覆う表面カバー部と側面ヒータの裏面側から覆う裏面カバー部とからなり前記表面カバー部と前記裏面カバー部が連結部で連結された角部目隠帯が設置されることを特徴としている。
【００１１】
これにより、組立時の隙間の調整が不要になるとともに化粧板と化粧板との間の隙間が眼に触れないようにできる。
【００１２】
請求項２の発明は、請求項１記載の掘ごたつ用側面ヒータの角部処理構造であって、前記角部目隠帯を、隣接する前記側面ヒータのそれぞれの端部を覆いながら上方から差し込むことを特徴としている。
【００１３】
このため、組立時に角部目隠帯を一動作で取付けできる。
【発明の効果】
【００１４】
請求項１の発明によれば、上方が開口し底面とこの底面の外周端から立ち上がる内側面とからなる掘ごたつ本体に前記内側面に沿って側面ヒータを収容する掘ごたつ用側面ヒータの角部処理構造であって、側面ヒータの角部に、隣接するそれぞれの前記側面ヒータの端部に対して側面ヒータの表面側から覆う表面カバー部と側面ヒータの裏面側から覆う裏面カバー部とからなり前記表面カバー部と前記裏面カバー部が連結部で連結された角部目隠帯が設置されている。
【００１５】
このため、組立時の隙間の調整が不要になり組立性が向上する。角部目隠帯は連結部で連結されて強度が補強されるので、化粧板の収縮や伸長による隙間の寸法変化の吸収ができる。
【００１６】
請求項２の発明は、前記角部目隠帯を、隣接する前記側面ヒータのそれぞれの端部を覆いながら上方から差し込むことができる。このため、組立時に角部目隠帯を一動作で取付けできるので組立性を向上することができる。
【発明を実施するための最良の形態】
【００１７】
＜掘ごたつ用側面ヒータの角部処理構造の構成＞
以下に、本発明の実施形態を図１に基づいて説明する。
【００１８】
図１に示すように、本実施形態の掘ごたつ１は、掘ごたつ本体２と掘ごたつ本体２の上部に設けられるやぐら部分としての座卓６とで構成されている。
【００１９】
掘ごたつ本体２は、矩形状の底面３と、この底面３の外周端３ａから立ち上がる４つの内側面７ａ、７ｂ、７ｃ、７ｄが合板等の板材からなる箱型形状に形成され、上部が上方に向けて開口した開口部８となっている。掘ごたつ本体２の開口部８の縁部外周部分８ａが床面９にアングル部材１０によって固定されている。このアングル部材１０は、断面Ｌ字状で開口部８を囲むように４周に亘り設けられ、床面９と面一になるように床面９に取付けられている。
【００２０】
掘ごたつ本体２の内側面７（７ａ、７ｂ、７ｃ、７ｄ）には側面ヒータ５が配設されており、この側面ヒータ５は、可撓性の面状ヒータ２１と、この面状ヒータ２１の表面側を覆う化粧板２２と、面状ヒータ２１と内側面７ａ、７ｂ、７ｃ、７ｄとの間に配設されて面状ヒータ２１と内側面７ａ、７ｂ、７ｃ、７ｄとの間を断熱する断熱材２３とで構成されている。なお、側面ヒータ５を掘ごたつ本体２に収容した状態で断熱材２３が面状ヒータ２１を化粧板２２側へ押圧するようになっている。
【００２１】
そして、前記側面ヒータ５の端部５ａとその端部５ａが隣接する他の側面ヒータ５の端部５ａとからなる側面ヒータ５の角部５ｂには、隣接するそれぞれの前記化粧板２２の端部２２ａに対して角部目隠帯５０が設けられている。
【００２２】
さらに、掘ごたつ本体２の底面３には底面ヒータ４が配設され、矩形状の底面板１１と、この底面板１１の裏面側に設けられる底面ヒータブロック１３とで構成されている。底面板１１の裏面側の４周外端部には底面板枠部１２が設けられ、底面板１１に充分な強度を持たせるとともに、この底面板枠部１２で囲まれる内部に底面ヒータブロック１３が内蔵されている。底面ヒータブロック１３は面状ヒータ１４が図示しない均熱用アルミ箔と共にウレタン発泡で一体成型されて形成されている。この底面ヒータブロック１３が底面板１１の裏面側に内蔵された状態では、絶縁均熱シート紙で底面板１１の裏面が覆われている。また、底面板１１の表面側には、外周部分全域に凹溝１５が設けられている。この凹溝１５には、４つの内側面７ａ、７ｂ、７ｃ、７ｄに沿って配置された側面ヒータ５の化粧板２２の下端部が嵌合される。上記のように底面ヒータ４及び側面ヒータ５が取付けられた掘ごたつ本体２の開口部８の縁部には、矩形状の框２７が床面９と面一となるように設けられており、この框２７の四隅から４本の脚体２８が立設され、これらの脚体２８上に天板２９が架設固定されて座卓６が形成されている。
【００２３】
図２に示すように、側面ヒータ５は、掘ごたつ本体２の対向する角部２５と角部２５を挟んで２組配置されている。一方の側面ヒータ５は角部２５を挟む第１側壁１６と第２側壁１７に連続して（なお、化粧板２２は角部２５で不連続である）Ｌ字状に形成され、他方の側面ヒータ５は角部２６を挟む第３側壁１８と第４側壁１９とに連続して（なお、化粧板２２は角部２６で不連続である）Ｌ字状に形成されている。ここで、他方の側面ヒータ５は第４側壁１９にコントローラ２０が設置される箇所が異なるだけで、それ以外は一方の側面ヒータ５の構成と全く同じである。
【００２４】
側面ヒータ５の角部５ｂには、前記角部目隠帯５０が取付られており、図3に示すように、角部目隠帯５０は隣接するそれぞれの前記化粧板２２の端部２２ａに対して、（側面ヒータ５の表面側としての）化粧板２２の表面側２２ｂから同時に覆う表面カバー部５１と、（側面ヒータ５の裏面側としての）化粧板の裏面側２２ｃから同時に覆う裏面カバー部５２とからなり前記表面カバー部５１と前記裏面カバー部５２が連結部５３で連結される。
【００２５】
化粧板２２の端部２２ａの近傍には端部２２ａの補強を兼ねてフレーム４３が取付けられており、面状ヒータ２１が折り曲げによってダメージを受けないように、折り曲げ半径Ｓ及びＴが出来るだけ大きくなるように、角部２５のスペースを考慮しながら適宜決定されている。尚、図３を用いて角部２５に関しての説明をしたが、角部２６に関しても同様の構成である。さらに、角部２５，２６以外の角部に関しても角部目隠帯５０が同様に取付けられる。
【００２６】
角部目隠帯５０の構造は、図４（ａ）、（ｂ）に示すように、断面がＨ型形状であり、表面カバー部５１と裏面カバー部５２はそれぞれＬ１＝８ｍｍ、Ｌ２＝１ｍｍの略長方形で、それぞれの両先端部５１ａと５２ａには０．５ｍｍ半径のアール加工が施されている。そして、表面カバー部５１の中央部５１ｂと裏面カバー部５２の中央部５２ｂが連結部５３で接続されている。連結部５３はＬ３＝６ｍｍ，Ｌ４＝１．４ｍｍの略長方形で、表面カバー部５１、裏面カバー部５２と接続するそれぞれの中央部５１ｂ、５２ｂ近傍においては両側に半径１ｍｍのアール加工が施されている。このように、角部目隠帯５０は、外形断面Ｌ１＝８ｍｍ、Ｌ５＝８ｍｍのＨ型外形で、長さはＬ６＝２９１ｍｍである。
【００２７】
角部目隠帯５０は特別な材料である必要はなく一般的な木製や樹脂等でよいが、適度の強度と弾力性があり、堀ごたつ内部の温度に対応できる程度の耐熱性材料が選ばれる。角部目隠帯５０の表面カバー部５１の表面には、化粧板２２とマッチングする表面化粧や表面模様を施すと更に好ましい。
【００２８】
図５に示すように、面状ヒータ２１は、Ｌ字状に屈曲された支持面３３、３４を有し断熱材２３に接着される支持体３５と、支持面３３、３４上に配索されたヒータ線３６とで形成されている。
【００２９】
一方の面状ヒータ２１の支持面３３は、掘ごたつ本体２の第１側壁１６の内側面７ａに対応し、支持面３４は第２側壁１７の内側面７ｂにそれぞれ対応している。ヒータ線３６は、支持面３３の上部に配索されて、角部２５に対応する支持面３３、３４の連続部分を通り、支持面３４まで配索され、さらに、支持面３４で折り返されて、再び角部２５に対応する屈曲部分を通って支持面３３の下部側まで連続して配索されている。
【００３０】
第３側壁１８の内側面７ｃ、第４側壁１９の内側面７ｄに対応する他方の面状ヒータ２１も同様に角部２６に対応する支持面３３、３４に連続して形成されている。異なるのは、第３側壁１８、第４側壁１９に対応する面状ヒータ２１には、コントロールパネル３８が設置されるので、その部分の構成のみ異なる。このように、掘ごたつの角部２５、２６においても面状ヒータ２１が配置されているので角部２５、２６における熱効率があがる。さらにまた、２辺の取付け作業が同時にできるので作業工程が軽減できる。
【００３１】
このように、本実施形態の掘ごたつ１では、掘ごたつ本体２内に２つの側面ヒータ５と底面ヒータ４が収容され、それぞれのヒータのヒータ線３６、３６、３７の電線（電源）はコントロールパネル３８に取付けられている。主電源は図示しない場所からコントロールパネル３８に供給される。
【００３２】
なお、現場での作業工程を容易にするために、面状ヒータ２１と断熱材２３は予めプレハブ一体化されている。化粧板２２は、例えばＭＤＦで形成され、面状ヒータ２１はＰＥＴを支持体とするフレキシブルな面状発熱体（コード状ヒータをアルミ箔等で面状にした構成も含む）で形成され、断熱材２３はＰＥＴ繊維やポリエステル繊維さらにポリウレタン繊維等で形成されている。また、面状ヒータ２１と断熱材２３は、面状ヒータ２１の裏面（ヒータの突出側）が断熱材２３に接するように例えばウレタン系接着剤等で貼着されている。  
化粧板２２は、図６（ａ）、（ｂ）、（ｃ）、（ｄ）に示すように、矩形状で一側にコントロールパネルはめ込み用の取付開口３０が形成されており、この取付開口３０の上部には、ヒータ用電線が導かれる電線通路３１が形成されている。また、化粧板２２の上下には、内側面７に平行に取付けるために同サイズの断面矩形の化粧板枠部２４が２条形成されている。この化粧板枠部２４は化粧板２２の補強も兼ねた合板が使用されている。化粧板枠部２４間の一側には、フレーム４３が取付けられている。
【００３３】
フレーム４３は、補強部４３ａと配設案内部４３ｂとで形成されている。配設案内部４３ｂは、下部側の化粧板枠部２４からの高さ（幅）と同じ高さで形成され、補強部４３ａは、補強材として化粧板枠部２４と同じ断面形状に形成されている。
【００３４】
次に、掘ごたつ本体２への底面ヒータ４、側面ヒータ５の取付け手順について図７（ａ）、（ｂ）、（ｃ）を用いて説明する。
【００３５】
図７（ａ）に示すように、最初に底面板１１を底面３上に配置する。この時、化粧板２２を所定の位置に設置できる位置に凹溝１５を位置決めして、底面板１１を両面テープで底面３に固定する。
【００３６】
また、この断熱材２３は、図７（ｂ）に示すように面状ヒータ２１より長めに形成されており、カバー（スパンボンド）４０が面状ヒータ２１の上部表面と断熱材２３の上部表面とを同時に覆うように接着剤で固着されている。カバー４０の材質は、ポリエステル不織布等が好ましいが耐熱性の材料であればその他の材料でも良い（カバー４０の上からタッカー等を打ち込むことにより断熱材２３を内側面７に係止する際に、タッカー等を充分保持できる材料であれば良い）。そして、プレハブ化された側面ヒータ５（面状ヒータ２１と断熱材２３）を所定の高さに位置調整してから、タッカー４１を側面ヒータ５の上部の面状ヒータ２１に被らない位置に打ち込むことによって取付ける。このとき側面ヒータ５は断熱材２３を加圧しない状態で取付けられるので、断熱材２３の厚さは自然状態の厚さＬ１である。断熱材２３は、上述したようにＰＥＴ繊維やポリエステル繊維、さらにポリウレタン繊維等が使用されており、弾性を有している。
【００３７】
そして、図７（ｃ）に示すように、化粧板２２を、面状ヒータ２１と断熱材２３に被せて取付ける。このとき、化粧板２２の下端部を底面板枠部１２の凹溝１５に嵌合させて化粧板２２を立設し、化粧板２２上部の化粧板枠部２４を内側面７ｂに押し付けながらビス３２で固定する。これにより、化粧板２２の下部の取付けが不要になり、化粧板を組み付ける作業工程が軽減できる。
【００３８】
このとき、断熱材２３は、掘ごたつ本体２に側面ヒータ５を組み付ける前の状態（図７（ｂ）に示す状態）の厚みＬ１に対して、組み付けた状態（図７（ｃ）に示す状態）では、厚みＬ２に（圧縮）弾性変形し、面状ヒータ２１を化粧板２２側へ押圧する。
【００３９】
このため、断熱材２３の厚さが、Ｎ１からＮ２に加圧されて収縮し、断熱材２３は圧縮代（Ｎ１―Ｎ２）相当分の内部圧力が蓄えられることになるので、内部圧力が面状ヒータ２１を化粧板２２に強く押し付け、面状ヒータ２１と化粧板２２間は空気層が排除された状態で密着することになる。このため、面状ヒータ２１から化粧板２２に伝播する熱が遮断されてしまうことがなく熱効率が上がる。
【００４０】
そして、前述（図３で説明）したように、側面ヒータ５の角部５ｂである前記化粧板２２の端部２２ａとその端部２２ａが隣接する他の化粧板２２の端部２２ａに対して上方から角部目隠帯５０が差し込まれる。
【００４１】
＜掘ごたつ用側面ヒータの角部処理構造の作用＞
現場作業として、図（８）に示すように、最初に掘ごたつ本体２に、底面ヒータブロック１３を組付けてから側面ヒータ５を組付ける。側面ヒータ５の組付けに関しては、面状ヒータ２１と断熱材２３を先に組付け、その後、化粧板２２を組付ける。このとき、化粧板２２の端部２２ａに対して角部目隠帯５０が上から差し込まれる。
【００４２】
そして、据付現場では、図９（ａ）（ｂ）、（ｃ）に示すように、床６０に掘ごたつ本体２を取付けるための開口部６５を形成する。このとき、床６０の補強のために補強材６１（大引や根太）が要所に配設される。この状態の開口部６５に堀ごたつ本体２が挿入されてボルト等で固定される。そして、框２７が開口部６５を囲んで取付けられ、その上にやぐらとしてのテーブル６３が配置されるとともに、天板６４（ふとんを挟む場合もある）が乗せられて堀ごたつ１が組立完成する。
【００４３】
このように、本実施形態によれば、掘ごたつ本体２の化粧板２２の端部２２ａに対して角部目隠帯５０が取付けられるので、以下の様々な効果が得られる。
【００４４】
隣接する前記化粧板２２のそれぞれの端部２２ａに対して同時に角部目隠帯５０を上方から差し込むことができるので、組立時の隙間の調整が不要になるので組立性を向上することができる。また、ネジ等が不要になる。
【００４５】
角部目隠帯５０の表面には、化粧板２２と化粧板２２との間の隙間が眼に触れないようにできることに加えて、化粧板２２とマッチングする表面化粧や表面模様を施すことが出来るので、（外観の見栄えがよい）インテリア性を向上することができる。また、隙間からの熱の逃げを防止できる。
【００４６】
化粧板２２を引き抜くことで容易に取り外しが出来るので、メンテナンスが容易で破損するおそれがないので、メンテナンス性が向上しメンテナンスコストが下がる。
【００４７】
化粧板２２の収縮伸長による隙間の調整ができるので、寸法変化の吸収ができるため化粧板２２が破損するおそれがない。
【００４８】
そして、角部目隠帯５０は表面カバー部５１の中央部５１ｂと裏面カバー部５２の中央部５２ｂが連結部５３で接続されているので、充分な強度を保持することができる。
【００４９】
角部目隠帯５０の材料は、適度の強度と弾力性があり、さらに、堀ごたつ内部の温度に対応できる程度の耐熱性材料が選ばれるので、化粧板の端部の誤差を充分吸収できる。
【００５０】
角部目隠帯５０の表面カバー部５１と裏面カバー部５２の両先端部５１ａ、５２ａにはアール加工を施しているので、化粧板の端部を傷つけることがない。
【００５１】
連結部５３が表面カバー部５１、裏面カバー部５２と接続するそれぞれの中央部５１ｂ、５２ｂの両側に半径１ｍｍのアール加工が施されているので、化粧板２２の取付け時の力を逃がすことが出来るので、応力集中の発生がなくなり十分な強度が得られる。
【００５２】
さらに、化粧板２２の隙間に挟まれたりする事故の防止ができるので安全性が向上する。
【００５３】
以上、本発明の実施形態を図面に基づいて説明したが、上記の実施例はいずれも本発明の一例を示したものであり、本発明はこれらに限定されるべきでないということはいうまでもない。
【００５４】
例えば、角部目隠帯５０を構成する寸法、形状及び材質等はいささかも限定されない。角部目隠帯５０は一本の長尺形状でも、複数本からなる構成であっても良い。一本の長尺形状では1動作で取付けできる効果が得られ、複数本の場合は堀ごたつの高さが変わっても同じ角部目隠帯５０が使用できる。
【００５５】
角部目隠帯５０のＨ型形状における表面カバー部５１と裏面カバー部５２の長さが異なっていても構わない。角部目隠帯５０の裏面カバー部５２の先端部５２ａは、化粧板２２の端部２２ａを含み側面ヒータ５の端部５ａを広く覆ってもよい。
【図面の簡単な説明】
【００５６】
【図１】本発明の実施形態による掘ごたつの断面図である。
【図２】図１のＡ−Ａ断面を示す図である。
【図３】本発明の実施形態による掘ごたつの角部断面図である。
【図４】本発明の実施形態による角部目隠帯の、（ａ）は断面図、（ｂ）は側面図を示す。
【図５】本発明の実施形態による面状ヒータを示す斜視図である。
【図６】本発明の実施形態による化粧板の、（ａ）は裏面側から見た正面図、（ｂ）は（ａ）のＢ−Ｂ断面図、（ｃ）は（ａ）のＣ−Ｃ断面図、（ｄ）は（ａ）のＤ−Ｄ断面図である。
【図７】本発明の実施形態による側面ヒータを内側面に取付ける手順を示す図で、（ａ）は掘ごたつ本体に床面ヒータブロックを取付けた状態を示す断面図、（ｂ）は面状ヒータと断熱材を取付けた状態を示す断面図、（ｃ）は化粧板を取付けた状態を示す断面図である。
【図８】本発明の実施形態による掘ごたつ本体に底面ヒータブロックと側面ヒータを組付けるときの分解斜視図である。
【図９】本発明の実施形態による掘ごたつ１の現場組付け斜視図で、（ａ）は、掘ごたつ本体を床に組付ける図、（ｂ）は、掘ごたつ本体用の開口部に框を組付ける図、（ｃ）は、座卓と天板を組付ける図である。
【符号の説明】
【００５７】
１  掘ごたつ
２  掘ごたつ本体
３  底面
３ａ  外周端
４  底面ヒータ
５  側面ヒータ
５ａ  端部
５ｂ  角部
７（７ａ、７ｂ、７ｃ、７ｄ）  内側面
８  開口部
２１  面状ヒータ
２２  化粧板
２２ａ  端部
２２ｂ  表面側
２２ｃ  裏面側
２３  断熱材
５０  角部目隠帯
５１  表面カバー部
５２  裏面カバー部
５３  連結部
【図１】
2005207630.tif 000003
【図２】
2005207630.tif 000004
【図３】
2005207630.tif 000005
【図４】
2005207630.tif 000006
【図５】
2005207630.tif 000007
【図６】
2005207630.tif 000008
【図７】
2005207630.tif 000009
【図８】
2005207630.tif 000010
【図９】
2005207630.tif 000011